(57)【特許請求の範囲】
【請求項１】
電子部品を内包する第１筐体と、
電子部品を搭載した基板を内包する第２筐体と、
前記第１筐体と前記第２筐体とを開閉可能に連結する連結部と、
前記連結部の内部を挿通されて前記第１筐体内部の電子部品と前記第２筐体内部の電子部品とを電気的に接続する信号線と、
前記信号線の、前記第２筐体側の端部に設けられた第１コネクタと、
前記基板に設けられて前記第１コネクタに嵌合接続される第２コネクタと、
前記基板上に配置される外部コネクタと、
を備える電子機器において、
前記第２コネクタに嵌合接続された状態の前記第１コネクタを裏面で覆うように前記基板に取り付けられる支持部材を備え、
前記外部コネクタが、前記支持部材の表面上に配設されていることを特徴とする、電子機器。
【請求項２】
前記第２筐体は、バッテリを収納し、
前記バッテリは、前記第２コネクタに対し前記基板の延在方向に配置されていることを特徴とする、請求項１記載の電子機器。
【請求項３】
前記第２筐体は、前記外部コネクタの一端部を露出させる開口部が形成されたケース部材と、前記ケース部材の前記開口部を着脱可能に閉塞するカバー部材と、を有し、
前記信号線は、前記連結部から前記第２コネクタに向けて前記ケース部材の内側面に沿って配線され、
前記カバー部材は、前記開口部の、前記連結部から遠い方の端部付近で前記ケース部材と結合していることを特徴とする、請求項１または２記載の電子機器。
【請求項４】
前記外部コネクタは、外部メモリカードを挿入可能な外部メモリカードコネクタであり、
前記ケース部材は、前記開口部に隣接して、前記外部メモリカードを案内する段差部を形成され、
前記信号線は、前記段差部の内側面に沿って配線されることを特徴とする、請求項３記載の電子機器。
【発明の詳細な説明】
【技術分野】
【０００１】
この発明は、電子部品を内包する第１筐体と、電子部品を搭載した基板を内包する第２筐体と、前記第１筐体と前記第２筐体とを開閉可能に連結する連結部と、前記連結部の内部を挿通されて前記第１筐体内部の電子部品と前記第２筐体内部の電子部品とを電気的に接続する信号線と、前記信号線の、前記第２筐体側の端部に設けられた第１コネクタと、前記基板に設けられて前記第１コネクタに嵌合接続される第２コネクタと、前記基板上に配置される外部コネクタとを備える電子機器に関するものである。
【背景技術】
【０００２】
上記の如き電子機器としては例えば携帯電話機が知られており、従来の携帯電話機は、第１筐体としての例えば液晶側筐体と、第２筐体としての例えば文字入力側筐体とで構成され、それら液晶側筐体と文字入力側筐体とが折りたたみ式や水平回転式もしくは二軸ヒンジ式等の連結部により連結されており、それら液晶側筐体と文字入力側筐体とに内包された電子部品同士は、信号線としてのフレキシブル配線基板やケーブルによって電気的に接続されている（例えば特許文献１参照）。
【０００３】
かかる携帯電話機ではまた、文字入力側筐体に、ＳＤカード、ミニＳＤカード、マイクロＳＤカード、メモリースティック等の外部メモリ等のための外部コネクタが設けられ、データの移動等がそれらの外部メモリを介して容易に行い得るようになっているものが知られている。
【特許文献１】特開２００４−２０７４４７号公報
【発明の開示】
【発明が解決しようとする課題】
【０００４】
しかしながら上記のように外部コネクタを設けるに際し、従来の携帯電話機では、図１４（ａ）に示すように、カード用コネクタ１５等の外部コネクタがバッテリ９と文字入力側筐体の厚さ方向に重なる位置で基板６上に配置されているため、文字入力側筐体の厚さ寸法が大きくなって携帯電話機の携帯性向上の要請への対応が困難であるという問題がある。
【０００５】
そして文字入力側筐体の薄型化のため、図１４（ｂ）に示すように、カード用コネクタ１５等の外部コネクタをバッテリ９と並べて基板６上に配置しようとしても、連結部や他の電子部品等が存在する関係で基板６上の平面的なスペースが限られるため、文字入力側筐体の長手寸法を拡大しないと外部コネクタの配置スペースが確保できないという問題がある。
【課題を解決するための手段】
【０００６】
この発明は、上記課題を有利に解決することを目的とするものであり、請求項１記載のこの発明の電子機器は、電子部品を内包する第１筐体と、電子部品を搭載した基板を内包する第２筐体と、前記第１筐体と前記第２筐体とを開閉可能に連結する連結部と、前記連結部の内部を挿通されて前記第１筐体内部の電子部品と前記第２筐体内部の電子部品とを電気的に接続する信号線と、前記信号線の、前記第２筐体側の端部に設けられた第１コネクタと、前記基板に設けられて前記第１コネクタに嵌合接続される第２コネクタと、前記基板上に配置される外部コネクタと、を備える電子機器において、前記第２コネクタに嵌合接続された状態の前記第１コネクタを裏面で覆うように前記基板に取り付けられる支持部材を備え、前記外部コネクタが、前記支持部材の表面上に配設されていることを特徴としている。
【発明の効果】
【０００７】
この発明の電子機器にあっては、第２コネクタに嵌合接続された状態の第１コネクタを裏面（内側の面）で覆うように基板に取り付けられる支持部材の表面（外側の面）上に外部コネクタが配設されていることから、基板上の平面的な配置スペースが限られている中で外部コネクタの配置スペースを特に設けることなく、第２コネクタの配置スペースを利用して外部コネクタタを設けることができる。従ってこの発明の電子機器によれば、第２筐体の外形寸法を拡大することなく外部コネクタタを設けることができる。
【発明を実施するための最良の形態】
【０００８】
以下、本発明の実施の形態を実施例によって、図面に基づき詳細に説明する。ここに、図１は、この発明の電子機器の一実施例としての折り畳み式携帯電話機の文字入力側筐体の構造を示す分解斜視図、図２（ａ），（ｂ）は、その実施例の携帯電話機の外観を液晶側筐体と文字入力側筐体とを相互に開いた状態で正面側および背面側から見てそれぞれ示す斜視図、図３（ａ），（ｂ）は、その実施例の携帯電話機の外観を液晶側筐体と文字入力側筐体とを相互に閉じた状態で液晶側筐体の背面側および文字入力側筐体の背面側から見てそれぞれ示す斜視図である。
【０００９】
この実施例の携帯電話機１は、第１筐体としての液晶側筐体２と、第２筐体としての文字入力側筐体３とを備え、液晶側筐体２は、フロントケース２ａとリアケース２ｂとが相互に嵌合固定されて構成され、文字入力側筐体３は、フロントケース３ａとリアケース３ｂとが相互に嵌合されるとともにネジで固定されて構成されており、液晶側筐体２と文字入力側筐体３とは、連結部としてのヒンジ部４を介して相互に開閉自在とされ、ヒンジ部４内には空洞が形成されている。
【００１０】
液晶側筐体２は、フロントケース２ａとリアケース２ｂとの内部に図示しない基板を内蔵し、その基板の表面に設置された液晶表示ユニット５がフロントケース２ａから表出している。またその基板には、スピーカ等の各種電子部品が実装されて電気的に接続されている。一方、文字入力側筐体３は、図４にも示すように、フロントケース３ａとリアケース３ｂとの内部に基板６を内蔵し、その基板６の表面に金属フレーム７を介して設置されたキーボタンシート８がフロントケース３ａから表出している。またその基板６には、マイク等の各種電子部品が実装されて電気的に接続されるとともに、図５（ａ）に示すように、バッテリ９が搭載され、リアケース３ｂには、そのバッテリ９の着脱用の開口部３ｃが形成されるとともに、その開口部３ｃを着脱可能に覆う蓋３ｄが設けられている。
【００１１】
液晶側筐体２内の上記基板上の電子部品と文字入力側筐体３内の基板６上の電子部品とは、ヒンジ部４の空洞内を挿通された信号線としての二束のケーブル１０，１１によって電気的に接続されており、具体的には図１および図６に示すように、それらのケーブル１０，１１の両端部にそれぞれ第１コネクタ１２が設けられ、また液晶側筐体２内の基板の背面と文字入力側筐体３内の基板６の背面とにそれぞれ、基板６の背面について図４に示すように、二個の第２コネクタ１３が設けられ、それらケーブル１０，１１の一端部の第１コネクタ１２と液晶側筐体２内の基板の二個の上記第２コネクタとが嵌合接続されるとともに、図１に示すように、それらケーブル１０，１１の他端部の第１コネクタ１２と文字入力側筐体３内の基板６の二個の第２コネクタ１３とが嵌合接続されている。
【００１２】
しかしてこの実施例の携帯電話機１では、図１および図５（ａ），（ｂ）に示す如く、文字入力側筐体３内の基板６の二個の第２コネクタ１３と嵌合接続されたケーブル１０，１１の他端部の第１コネクタ１２を付近のケーブル１０，１１の端部を含めて裏面で覆うように、概略矩形の板状の支持部材１４が配置され、その支持部材１４は樹脂材料により形成されていて、図６に裏面側を示すように、基板６の上端部６ａと掛合する二個のツメ１４ａと、基板６の側端部６ｂと掛合する一個のツメ１４ｂと、基板６の貫通孔６ｃと嵌合する位置決め用の一個のボス１４ｃとを有するとともに、ケーブル１０，１１の他端部の二個の第１コネクタ１２に対向する位置に二本の突条１４ｄを有し、さらにケーブル１０，１１の他端部の二個の第１コネクタ１２に対向する裏面全体に金属の蒸着加工により形成された導電性被膜１４ｅを有している。
【００１３】
この支持部材１４は、図７に示すように、二個のツメ１４ａを基板６の上端部６ａと掛合させるとともに、一個のツメ１４ｂを基板６の側端部６ｂと掛合させ、さらに一個のボス１４ｃを基板６の貫通孔６ｃと嵌合させることで、図５（ａ），（ｂ）に示す如く、ケーブル１０，１１の他端部の第１コネクタ１２を付近のケーブル１０，１１の端部を含めて覆うように基板６の背面側の所定位置に配置されて嵌着固定される。基板６の背面には、弾性通電部材としてのタブ状の図示しない板バネが突設されており、この板バネは、基板６に嵌着固定された支持部材１４の裏面の導電性被膜１４ｅに押圧されて接触して、その導電性被膜１４ｅと基板６の図示しないグランド部とを電気的に導通させる。
【００１４】
基板６に嵌着固定された支持部材１４は、文字入力側筐体３内では、リアケース３ｂのネジボス３ｅやリブ等により基板６に向けて押圧され、その基板６は、電磁シールドとなる金属フレーム８を介してフロントケース３ａで支持されているので、支持部材１４は、二本の突条１４ｄを介してケーブル１０，１１の他端部の二個の第１コネクタ１２を基板６の二個の第２コネクタ１３に押し付けて確実に嵌合接続させ、さらにそれら第１コネクタ１２付近のケーブル１０，１１の端部も基板６に押し付けて動かないように固定する。
【００１５】
さらにこの実施例の携帯電話機１では、図４および図５に示すように、支持部材１４の表面上に重ねて、外部コネクタとしてのマイクロＳＤカード用コネクタ１５付きのフレキシブル配線基板が配設固定されており、そのマイクロＳＤカード用コネクタ１５付きのフレキシブル配線基板は基板６に電気的に接続され、またそのマイクロＳＤカード用コネクタ１５には、図１に示すように、文字入力側筐体３のリアケース３ｂの側部に設けられた開口部としてのスロット３ｆを介して、外部メモリとしてのマイクロＳＤカード１６を抜き差しすることができる。
【００１６】
さらにこの実施例の携帯電話機１では、図２（ｂ），図３（ｂ），図４および図８に示すように、文字入力側筐体３のリアケース３ｂの側部に、上記スロット３ｆを閉塞する、カバー部材としての軟質樹脂製のコネクタカバー１７が着脱可能に設けられており、このコネクタカバー１７は、図８および図９に示すように、リアケース３ｂの側部のスロット３ｆの、ヒンジ部４から遠い方の端部付近に形成されたカバー保持部３ｇに形成された保持孔に挿通されて先端部を係止された概略Ｔ字状の連結部１７ａを介して、そのカバー保持部３ｇに結合されてリアケース３ｂからの脱落を防止されている。
【００１７】
上記コネクタカバー１７は、スロット３ｆの幅を広くしてマイクロＳＤカード１６を抜き差しし易くするために、図１１に示すように、概略断面Ｌ字状をなしており、そのＬ字の短い方の脚に対応する図では左側の部分と、そのＬ字の長い方の脚に対応する図では下側の部分との先端部にはそれぞれ、文字入力側筐体３のリアケース３ｂに掛合するロック爪１７ｂが設けられている。
【００１８】
さらにこの実施例の携帯電話機１では、図１２に示すように、文字入力側筐体３のリアケース３ｂの側部に上記スロット３ｆに隣接して、小さなマイクロＳＤカード１６の抜き差しを曲がらないように端面で案内する段差部３ｈを形成され、ケーブル１０，１１が、図１３に示すように、その段差部３ｈの内側面に沿ってリアケース３ｂ内に配線されている。
【００１９】
かかるこの実施例の携帯電話機１にあっては、第２コネクタ１３に嵌合接続された状態の第１コネクタ１２を覆うように基板６に取り付けられる支持部材１４の表面上にマイクロＳＤカード用コネクタ１５が配設されていることから、基板６上の平面的な配置スペースが限られている中でマイクロＳＤカード用コネクタ１５の配置スペースを特に設けることなく、第２コネクタ１３の配置スペースを利用してマイクロＳＤカード用コネクタ１５を設けることができる。従ってこの実施例の携帯電話機１によれば、文字入力側筐体３の外形寸法を拡大することなくマイクロＳＤカード用コネクタ１５を設けることができる。
【００２０】
また、この実施例の携帯電話機１によれば、文字入力側筐体３がバッテリ９を収納し、そのバッテリ９が、支持部材１４を介してマイクロＳＤカード用コネクタ１５を上側に重ねて配置した第２コネクタ１３に対し基板６の延在方向に配置されているので、文字入力側筐体３の長手寸法を拡大しなくても、マイクロＳＤカード用コネクタ１５をバッテリ９と並べて基板６上に配置して文字入力側筐体３を薄型化することができる。
【００２１】
さらに、この実施例の携帯電話機１によれば、文字入力側筐体３が、マイクロＳＤカード用コネクタ１５の一端部を露出させる開口部３ｆが形成されたリアケース３ｂと、そのリアケース３ｂの開口部３ｆを着脱可能に閉塞するコネクタカバー１７とを有し、ケーブル１０，１１が、ヒンジ部４から第２コネクタ１３に向けてリアケース３ｂの内側面に沿って配線され、コネクタカバー１７が、開口部３ｆの、ヒンジ部４から遠い方の端部付近でリアケース３ｂと結合しているから、文字入力側筐体３のリアケース３ｂの開口部３ｆを覆うコネクタカバー１７を、ケーブル１０，１１との干渉を生じずにリアケース３ｂと結合することができる。
【００２２】
さらに、この実施例の携帯電話機１によれば、外部コネクタが、マイクロＳＤカード用コネクタ１５であり、リアケース３ｂがその開口部３ｆに隣接して、マイクロＳＤカード１６を案内する段差部３ｈを形成され、ケーブル１０，１１が、その段差部３ｈの内側面に沿って配線されていることから、段差部３ｈの裏側でリアケース３ｂの肉を削ることができるので、リアケース３ｂの幅寸法を拡大しなくてもケーブル１０，１１の配線スペースを確保でき、ケーブル１０，１１をリアケース３ｂの内側面に沿って配線することができる。
【００２３】
以上、図示例に基づき説明したが、この発明は上述の例に限定されるものでなく、特許請求の範囲の記載範囲内で適宜変更し得るものであり、例えばこの発明は、折り畳み式だけでなく水平回転式や二軸ヒンジ式の携帯電話機にも適用でき、さらには携帯電話機以外の、例えばパームトップコンピュータ等の電子機器にも適用することができる。また、外部コネクタは、外部メモリ以外のための外部コネクタ（例えばケーブルコネクタ等）でも良く、さらに外部メモリは、ＳＤカード、ミニＳＤカード、メモリースティック等、マイクロＳＤカード以外のものでも良い。
【産業上の利用可能性】
【００２４】
かくしてこの発明の電子機器によれば、基板上の平面的な配置スペースが限られている中で外部コネクタの配置スペースを特に設けることなく、第２コネクタの配置スペースを利用して外部コネクタタを設けることができるので、第２筐体の外形寸法を拡大することなく外部コネクタタを設けることができる。
【図面の簡単な説明】
【００２５】
【図１】この発明の電子機器の一実施例としての折り畳み式携帯電話機の文字入力側筐体の構造を、基板がフロントケースに組み付けられた状態で、バッテリおよび蓋を除いて示す分解斜視図である。
【図２】（ａ），（ｂ）は、上記実施例の携帯電話機の外観を液晶側筐体と文字入力側筐体とを相互に開いた状態で正面側および背面側から見てそれぞれ示す斜視図である。
【図３】（ａ），（ｂ）は、上記実施例の携帯電話機の外観を液晶側筐体と文字入力側筐体とを相互に閉じた状態で液晶側筐体の背面側および文字入力側筐体の背面側から見てそれぞれ示す斜視図である。
【図４】上記実施例の携帯電話機の文字入力側筐体の構造を、ケーブルおよび第１コネクタを除いて示す分解斜視図である。
【図５】（ａ）は、上記実施例の携帯電話機の文字入力側筐体の構造をリアケースを省略するとともに基板をフロントケースに組み付けた状態で示す斜視図、（ｂ）は、その（ａ）中の支持部材およびマイクロＳＤカード用コネクタとその周辺部とを拡大して示す斜視図である。
【図６】上記実施例の携帯電話機の文字入力側筐体内の基板の表面とその基板に配設する支持部材の裏面とを示す分解斜視図である。
【図７】上記文字入力側筐体内に組み込まれる基板の背面上に配設した支持部材を、そこに重なったマイクロＳＤカード用コネクタ付きのフレキシブル配線基板とともに示す斜視図である。
【図８】上記支持部材およびそこに重なったマイクロＳＤカード用コネクタをリアケースおよびそこに嵌着されたコネクタカバーとともに示す断面図である。
【図９】上記支持部材をその裏面側から見て、そこに配置されたケーブルおよび第１コネクタとリアケースのカバー保持部とともに示す斜視図である。
【図１０】上記リアケースをコネクタカバーを開いた状態で示す斜視図である。
【図１１】上記リアケースをコネクタカバーを閉じた状態で示す断面図である。
【図１２】上記リアケースの開口部をコネクタカバーを除いた状態で示す斜視図である。
【図１３】上記リアケースの開口部付近の段差部をその内側のケーブルとともに示す断面図である。
【図１４】（ａ），（ｂ）は、基板上に外部コネクタとバッテリとを重ねて配置した場合とそれらを基板の延在方向に並べて配置した場合とをそれぞれ示す説明図である。
【符号の説明】
【００２６】
１  携帯電話機
２  液晶側筐体
２ａ，３ａ  フロントケース
２ｂ，３ｂ  リアケース
３  文字入力側筐体
３ｃ  開口部
３ｄ  蓋
３ｅ  ネジボス
３ｆ  スロット
３ｇ  カバー保持部
３ｈ  段差部
４  ヒンジ部
５  液晶表示ユニット
６  基板
７  金属フレーム
８  キーボタンシート
９  バッテリ
１０，１１  ケーブル
１２  第１コネクタ
１３  第２コネクタ
１４  支持部材
１４ａ，１４ｂ  ツメ
１４ｃ  ボス
１４ｄ  突条
１４ｅ  導電性被膜
１５  マイクロＳＤカード用コネクタ
１６  マイクロＳＤカード
１７  コネクタカバー
１７ａ  連結部
１７ｂ  ロック爪
【図１】
0004563961.tif 000002
【図２】
0004563961.tif 000003
【図３】
0004563961.tif 000004
【図４】
0004563961.tif 000005
【図５】
0004563961.tif 000006
【図６】
0004563961.tif 000007
【図７】
0004563961.tif 000008
【図８】
0004563961.tif 000009
【図９】
0004563961.tif 000010
【図１０】
0004563961.tif 000011
【図１１】
0004563961.tif 000012
【図１２】
0004563961.tif 000013
【図１３】
0004563961.tif 000014
【図１４】
0004563961.tif 000015